(57)【要約】      （修正有）【課題】設営や収納を容易に行うことができ、サッカーの練習等において十分な強度を保持した折り畳み式サッカーゴールを提供する。【解決手段】前側下方から後側上方へ傾斜して延びる左右一対の前脚フレーム２と、前側上方から後側下方へ傾斜して延びる左右一対の後脚フレーム３と、左右の後脚フレームで両端部を支えられ略水平方向に延びる前方クロスバー４と、左右の前脚フレーム２ａ，２ｂで両端部を支えられ略水平方向に延びる後方クロスバー５と、を備え、前脚フレーム２と後脚フレーム３は略中央部で前後に回動可能に連結し、左右の前脚フレーム２ａ，２ｂは後方クロスバー５の両端部に後方クロスバー５に沿うように折り畳み可能に連結し、左右の後脚フレーム３ａ，３ｂは前方クロスバー４の両端部に前方クロスバー４に沿うように折り畳み可能に連結することを特徴とする折り畳み式サッカーゴール１。【選択図】図１
2016077434.tif 000002
【特許請求の範囲】
【請求項１】
前側下方から後側上方へ傾斜して延びる左右一対の前脚フレームと、前側上方から後側下方へ傾斜して延びる左右一対の後脚フレームと、左右の後脚フレームで両端部を支えられ略水平方向に延びる前方クロスバーと、左右の前脚フレームで両端部を支えられ略水平方向に延びる後方クロスバーと、を備え、前脚フレームと後脚フレームは略中央部で前後に回動可能に連結し、左右の前脚フレームは後方クロスバーの両端部に後方クロスバーに沿うように折り畳み可能に連結し、左右の後脚フレームは前方クロスバーの両端部に前方クロスバーに沿うように折り畳み可能に連結することにより、サッカーゴールの骨組みを折り畳み自在としたことを特徴とする折り畳み式サッカーゴール。
【請求項２】
折り畳んだ状態から、前脚フレームと後脚フレームを左右に展開し、前脚フレームと後脚フレームを前後に回動してＸ字状とすることにより、前方クロスバーと後方クロスバーとを離間して骨組みを展開すること特徴とする請求項１記載の折り畳み式サッカーゴール。
【請求項３】
前脚フレームと後方クロスバーとの連結部近傍に、前脚フレームを展開した状態に保持するための方杖部材を架設することを特徴とする請求項１又は２記載の折り畳み式サッカーゴール。
【請求項４】
方杖部材は、前脚フレームと後方クロスバーの側面に着脱可能に配設されることを特徴とする請求項３記載の折り畳み式サッカーゴール。
【請求項５】
前脚フレームと後方クロスバーの側面にそれぞれ挿入孔を設けるとともに、該挿入孔の開口周縁上に挿入孔より小内径の略円筒形状の弾性ブッシュを配置し、略コの字状の方杖部材の両端屈曲部をそれぞれ弾性ブッシュに挿通しながら挿入孔に挿入し方杖部材を架設することを特徴とする請求項３又は４記載の折り畳み式サッカーゴール。
【発明の詳細な説明】
【技術分野】
【０００１】
本発明は、左右一対の前脚フレームと、左右一対の後脚フレームと、これらに両端部を支えられ略水平方向に延びる前後のクロスバーと、を備え、前脚フレームと後脚フレーム、前脚フレームと後方クロスバー、後脚フレームと前方クロスバーを、それぞれ所定方向に回動可能に連結することにより、骨組みを折り畳み自在とした折り畳み式サッカーゴールに関する。
【背景技術】
【０００２】
サッカーゴールは、蹴ったボールの衝撃を受けたとしても、破損することなく安全に使用できるよう十分な強度を備える必要があるため、従来より、複数の金属製の柱を溶接し固定して形成される骨組みからなり、相当の重量を有するものが一般的である。このためサッカーの練習や試合を行う際には、サッカーゴールを運搬、設置する必要があるが、サッカーゴールの運搬、設置には、多大な時間と労力を要するものであった。
【０００３】
さらに、サッカーだけでなく他のスポーツの練習等を行うことを目的とした、限られた広さの運動場等においては、サッカーの練習等を行うときにだけサッカーゴールを設置し、それ以外のときは、サッカーゴールは小さく折り畳み、コンパクトに収容しておくことが望ましい。
【０００４】
一方、サッカーゴールを折り畳み可能とするために可動部分を増やすと、強度を十分に保持できず、サッカーゴールが変形したり、破損する恐れがある。また、サッカーゴールの組み立て作業が複雑になると、設営あるいは収納に時間と労力が増すばかりでなく、組み立て途中で誤って指を挟むなどして思わぬ怪我を負うこともある。
【０００５】
したがって、設営や収納を容易に行うことができ、軽量コンパクトで持ち運びにすぐれるとともに、サッカーの練習等において十分な強度を保持した折り畳み式サッカーゴールの開発が望まれる。
【先行技術文献】
【特許文献】
【０００６】
【特許文献１】特開平７−３２３１０３号公報
【発明の概要】
【発明が解決しようとする課題】
【０００７】
本発明は、設営や収納を容易に行うことができ、軽量コンパクトで持ち運びにすぐれるとともに、サッカーの練習等において十分な強度を保持した折り畳み式サッカーゴールを提供することを課題とする。
【課題を解決するための手段】
【０００８】
前記課題を解決するために本発明者が検討を行った結果、左右の前脚フレームと後脚フレームがそれぞれ略中央部で前後に回動可能に連結し、左右の前脚フレームを左右に展開可能に後方クロスバーの両端部に連結し、左右の後脚フレームを左右に展開可能に前方クロスバーの両端部に連結することにより、骨組みの折り畳みが自在で強度にすぐれた折り畳み式サッカーゴールが得られることを見出し、本発明を完成するに至った。
【０００９】
すなわち本発明は、前側下方から後側上方へ傾斜して延びる左右一対の前脚フレームと、前側上方から後側下方へ傾斜して延びる左右一対の後脚フレームと、左右の後脚フレームで両端部を支えられ略水平方向に延びる前方クロスバーと、左右の前脚フレームで両端部を支えられ略水平方向に延びる後方クロスバーと、を備え、前脚フレームと後脚フレームは略中央部で前後に回動可能に連結し、左右の前脚フレームは後方クロスバーの両端部に後方クロスバーに沿うように折り畳み可能に連結し、左右の後脚フレームは前方クロスバーの両端部に前方クロスバーに沿うように折り畳み可能に連結することにより、サッカーゴールの骨組みを折り畳み自在としたことを特徴とする折り畳み式サッカーゴールである。
【００１０】
さらに本発明は、折り畳んだ状態から、前脚フレームと後脚フレームを左右に展開し、前脚フレームと後脚フレームを前後に回動してＸ字状とすることにより、前方クロスバーと後方クロスバーとを離間して骨組みを展開すること特徴とする折り畳み式サッカーゴールである。
【００１１】
さらに本発明は、前脚フレームと後方クロスバーとの連結部近傍に、前脚フレームを展開した状態に保持するための方杖部材を架設することを特徴とする折り畳み式サッカーゴールである。
【００１２】
さらに本発明は、方杖部材が、前脚フレームと後方クロスバーの側面に着脱可能に配設されることを特徴とする折り畳み式サッカーゴールである。
【００１３】
さらに本発明は、前脚フレームと後方クロスバーの側面にそれぞれ挿入孔を設けるとともに、該挿入孔の開口周縁上に挿入孔より小内径の略円筒形状の弾性ブッシュを配置し、略コの字状の方杖部材の両端屈曲部をそれぞれ弾性ブッシュに挿通しながら挿入孔に挿入し方杖部材を架設することを特徴とする折り畳み式サッカーゴールである。
【発明の効果】
【００１４】
本発明によれば、設営や収納を容易に行うことができ、軽量コンパクトで持ち運びにすぐれるとともに、サッカーの練習等において十分な強度を保持した折り畳み式サッカーゴールを提供することができる。
【図面の簡単な説明】
【００１５】
【図１】折り畳み式サッカーゴールの骨組みを展開した状態を示す図
【図２】折り畳み式サッカーゴールの骨組みの折り畳み手順を示す図((ａ)前脚フレームと後脚フレームを回動する状態、(ｂ)前脚フレームと後脚フレームを折り畳んだ状態、(ｃ)左右の前脚フレームと後脚フレームを回動する状態、(ｄ)骨組みを折り畳んだ状態)
【図３】折り畳み式サッカーゴールの骨組みを折り畳んだ状態を示す図
【図４】前脚フレームと後方クロスバーとの連結部を示す拡大図((ａ)正面図、(ｂ)側面図(一部断面図)、(ｃ)背面図)
【図５】弾性ブッシュの形状を示す図((ａ)平面図、(ｂ)側面断面図、(ｃ)底面図)
【図６】ブッシュホルダの形状を示す図((ａ)平面図、(ｂ)側面断面図、(ｃ)底面図)
【図７】スペーサの形状を示す図((ａ)平面図、(ｂ)側面断面図、(ｃ)底面図)
【図８】前方クロスバーのネットの取り付け部分の拡大図((ａ)平面図(ネットを取り付けた状態)、(ｂ)正面図)
【図９】前脚フレームのネットの取り付け部分の拡大図((ａ)正面図、(ｂ)側面図(ネットを取り付けた状態))
【図１０】折り畳み式サッカーゴールの使用状態を示す図
【発明を実施するための形態】
【００１６】
本発明の折り畳み式サッカーゴールについて、図を参照して以下に説明する。
【００１７】
本発明の折り畳み式サッカーゴールは、図１に示すように、前側下方から後側上方へ傾斜して延びる左右一対の前脚フレーム(２)と、前側上方から後側下方へ傾斜して延びる左右一対の後脚フレーム(３)と、左右の後脚フレームで両端部を支えられ略水平方向に延びる前方クロスバー(４)と、左右の前脚フレームで両端部を支えられ略水平方向に延びる後方クロスバー(５)と、を備え、前脚フレーム(２)と後脚フレーム(３)は略中央部で前後に回動可能に連結し、左右の前脚フレーム(2a,2b)は後方クロスバー(５)の両端部に後方クロスバーに沿うように折り畳み可能に連結し、左右の後脚フレーム(3a,3b)は前方クロスバー(４)の両端部に前方クロスバーに沿うように折り畳み可能に連結することにより、サッカーゴールの骨組みを折り畳み自在としたことを特徴とする。
【００１８】
前脚フレーム(２)は、上部材(６)と下部材(７)を連結プレート(８)により連結してなる。略同一太さの上部材(６)と下部材(７)は、軸線を前後にずらすようにして上下に配置され、上部材(６)の下端部と下部材(７)の上端部に、金属板を打ち抜くなどして形成される略クランク形状の２枚の連結プレート(８，８)を左右の側面から挟み込むようにして固定することで連結されている。また、上部材(６)の下端、下部材(７)の上端及び２枚の連結プレート(８，８)により囲まれ形成される空間内に後脚フレーム(３)を挿通し、対向する２枚の連結プレートの内側側面に固定された連結ピン(９)が後脚フレーム(３)の側面を水平に貫通することにより、後脚フレームを前後に回動可能としている。
【００１９】
このようにして前脚フレーム(２)と後脚フレーム(３)とを、それぞれの略中央部において連結することにより、後脚フレーム(３)を展開すると、後脚フレーム(３)の側面が下部材(７)の上端に接触するため後脚フレームの回動を制限することができ、後脚フレームと前脚フレームとの開き角度を一定に保持することが可能となる。また、使用後は後脚フレームを回動し、前脚フレームに沿うようにして束ねることができるため、コンパクトに収容することができる。さらに、後脚フレームが回動する軸付近は２枚の連結プレートで覆われており外側に露出していないことから、指などを挟み込む危険性を少なくすることができる。
【００２０】
前方クロスバー(４)は、その両端部において、左右一対の後脚フレーム(3a,3b)で支えられ、後方クロスバー(５)は、その両端部において、左右一対の前脚フレーム(2a,2b)により支えられる。左右の後脚フレーム(3a,3b）は、前方クロスバー(４)に沿うように折り畳むことができるよう、前方クロスバーの両端部に回動可能に連結し、左右の前脚フレーム(2a,2b）は、後方クロスバー(５)に沿うように折り畳むことができるよう、後方クロスバーの両端部に回動可能に連結される。
【００２１】
前方クロスバー(４)と後脚フレーム(３)との連結あるいは後方クロスバー(５)と前脚フレーム(２)との連結においては、特に限定されるべきものではなく、素材や求める強度に応じて連結器具を適宜選定し採用すべきであるが、図４に示すように、Ｌ字型連結プレート(10)を用いることが好ましい。
【００２２】
図４は、Ｌ字型連結プレート(10)を用いて後方クロスバー(５)と前脚フレーム(２)とを連結した連結部分の拡大図を示す。２枚のＬ字型連結プレート(10,10)を一方の直線部分で、前脚フレーム(２)の上端部を前後から挟み込むように配置し、２本の連結ピン(11,12)を用いて前脚フレーム(２)に固定する。Ｌ字型連結プレート(10)の他方の直線部分では、後方クロスバー(５)を挟み込むとともに、１本の連結ピン(13)で連結しており、後方クロスバーは連結ピン(13)を軸として回動することができる。このように２枚のＬ字型連結プレート(10,10)を用いれば、後方クロスバー(５)と前脚フレーム(２)とを同一面上に配置することができ、連結部分の厚さ寸法を小さく抑えることができる。また、後方クロスバー(５)(あるいは前方クロスバー(４))に連結するＬ字型連結プレートの直線部分の長さにおいて、後方クロスバー(５)(あるいは前方クロスバー(４))の左側に取り付ける連結プレートと右側に取り付ける連結プレートで差を設ければ、前脚フレーム、後脚フレーム、前方クロスバー、及び後方クロスバーを隙間なく束ねることが可能となる。例えば、図３に示すように、右側のＬ字型連結プレート(10b)が左側のＬ字型連結プレート(10a)より前脚フレーム(あるいは後脚フレーム)の太さ分だけ長くすれば、後方クロスバー(５)(あるいは前方クロスバー(４))の側面に重ねるようにして左右の前脚フレーム(2a,2b)と後脚フレーム(3a,3b)を折り畳むことができ、サッカーゴールの骨組みをコンパクトに収容することができる。さらに、このようなＬ字型連結プレートを使用することにより、後方クロスバー(あるいは前方クロスバー)の回動する軸部分が連結プレートで覆われることになるため、骨組みを折り畳む際、指などを挟む危険性を少なくすることができる。
【００２３】
また、後方クロスバー(５)と前脚フレーム(２)との連結、前方クロスバー(４)と後脚フレーム(３)との連結においてＬ字型連結プレート(10)を使用すると、前脚フレーム(２)と後脚フレーム(３)の回動する方向を一方向に制限することができる。このため、前脚フレーム(２)と後脚フレーム(３)とをＸ字状に展開した状態では前脚フレームと後脚フレームの回動する方向が異なるため、前脚フレームと後脚フレームは回動せず、骨組みの内側方向に倒れ込むことがない。したがって、骨組みを展開して折り畳み式サッカーゴールを設営した状態においては、前脚フレームと後脚フレームが折れ曲がるなどの危険を防止することができる。前脚フレームと後脚フレームを回動するためには、必ず、前脚フレームと後脚フレームを直線状に束ねた状態とし、前脚フレームと後脚フレームが回動する方向を同一にすることが必要であり、本発明の折り畳み式サッカーゴールにおいては、前脚フレームと後脚フレームを左右に展開し、前脚フレームと後脚フレームを前後に回動してＸ字状とするだけで、前脚フレームと後脚フレームの倒れ込みをなくし、形状を安定に保持することができる。尚、連結に使用する前後から挟み込むための２枚のＬ字型連結プレートは、一部がつながった形状のものを使用してもよい。
【００２４】
折り畳み式サッカーゴールの骨組みを構成する、前脚フレーム(２)、後脚フレーム(３)、前方クロスバー(４)、及び後方クロスバー(５)は、いずれも断面矩形状のパイプであることが好ましい。断面矩形状のパイプを用いることにより、連結プレート(８)やＬ字型連結プレート(10)を取り付ける際、接触面積を大きく確保できるため連結が容易となり、さらに連結部分の強度を保持することが容易となる。また、パイプを回動する際にも連結プレート(８)やＬ字型連結プレート(10)と接触する面積が大きくできることから、パイプが回動する方向を正確に規制することができ、骨組みのぐらつき等を効果的に防止することができる。
【００２５】
折り畳み式サッカーゴールの骨組みを折り畳む手順を図２に示す。骨組みを展開した状態(図２(ａ))から後脚フレーム(３)(あるいは前脚フレーム(２))を回動し、前脚フレーム(２)と後脚フレーム(３)とを直線状に束ねる。このとき、後脚フレーム(あるいは前脚フレーム)の回動にともない、後脚フレームの上部に連結する前方クロスバーと前脚フレームの上部に連結する後方クロスバーも密着し束ねられる。つぎに束ねた左右の前脚フレームと後脚フレームを束ねた前方クロスバーと後方クロスバーに沿わせるように回動する(方杖部材(14)が取り付けられている場合には、方杖部材を取り外した後、左右の前脚フレームと後脚フレームを回動する(図２(ｃ))。このように前脚フレームと後脚フレームを所定の方向に順次回動するだけで、サッカーゴールの骨組みを構成するすべてのフレーム(前脚フレーム(２)、後脚フレーム(３)、前方クロスバー(４)、及び後方クロスバー(５))を隙間なく束ねることができる(図２(ｄ))。
【００２６】
折り畳み式サッカーゴールを設営するためには、図２に示すような折り畳む手順とは逆の手順で行えばよく、折り畳んだ状態から、前脚フレームと後脚フレームをそれぞれ約９０度回動して左右に展開し、さらに前脚フレームと後脚フレームを前後に回動してＸ字状とすることにより、前方クロスバーと後方クロスバーとを離間して骨組みを容易に展開することができる。このように前脚フレームと後脚フレームを所定の方向に順次回動するだけで、折り畳み式サッカーゴールを設営することができる。
【００２７】
また、さらに折り畳み式サッカーゴールの強度を向上させるためには、骨組みを展開した後、前脚フレームと後方クロスバーとの連結部近傍に、前脚フレームを展開した状態に保持するための方杖部材を架設することが好ましい(図４)。後脚フレームと前方クロスバーとの連結部近傍にも方杖部材を架設すれば、骨組みの強度をさらに向上させることが可能ではあるが、サッカーゴールの前面に方杖部材を架設すると、サッカーゴールの開口面積が小さくなり、プレーに支障をきたす危険性がある。このため、サッカーゴールの強度を向上させるためには、少なくとも、前脚フレームと後方クロスバーとの連結部近傍に、方杖部材を架設することとし、後脚フレームと前方クロスバーとの連結部近傍にも方杖部材を架設すべきかは、骨組みを構成する素材やサッカーゴールの大きさ、プレーに影響しない長さの方杖部材が選定できるか等を考慮しながら適宜判断すればよい。
【００２８】
方杖部材は、骨組みを展開した状態で、前脚フレームと後方クロスバーの側面に着脱可能に配設し、容易に取り付け、又は取り外しができることが好ましい。折り畳み式サッカーゴールを容易に組み立て、片付けるためには、方杖部材は、容易に着脱できることが必要である。また、サッカーの練習あるいは試合中に、ボールが方杖部材に当たっても、その衝撃が骨組みに伝搬して骨組みが歪んだり破損したりしないよう、ボールが方杖部材に当たった際には、方杖部材が骨組みから外れるよう、適度な強度で取り付けられる構造であることが好ましい。
【００２９】
図４に、方杖部材(14)を架設した態様を例示する。前脚フレーム(２)と後方クロスバー(５)の側面にそれぞれ挿入孔(15,16)を設けるとともに、当該挿入孔の開口周縁上に挿入孔より小内径の略円筒形状の弾性ブッシュ(17)を配置し、略コの字状の方杖部材(14)の両端屈曲部をそれぞれ弾性ブッシュ(17,17)に挿通しながら挿入孔(15,16)に挿入することにより方杖部材(13)を架設する。
【００３０】
弾性ブッシュ(17)の内径は、方杖部材(14)の着脱を可能にしながら、方杖部材(14)が簡単に脱落しない程度の摩擦力が発生するよう挿入孔(15,16)より小さく形成している(図５)。弾性ブッシュは適度な弾性と摩擦力を有するとともに、繰り返しの使用に耐え得る耐久性を兼ね備える必要があることから、シリコーンゴム製であることが好ましい。
【００３１】
前脚フレーム(２)と後方クロスバー(５)への弾性ブッシュ(16)の取り付けは、ブッシュホルダ(18)により行う。ブッシュホルダ(18)は、下面が開口する凹部(18a)と、凹部の開口周縁から水平方向に延びる平板部(18b)とからなり、平板部(18b)には、凹部を挟んで左右にブッシュホルダ(18)を前脚フレーム(２)あるいは後方クロスバー(５)の側面に取り付けるための固定孔(18c,18c)が設けられる(図６)。弾性ブッシュ(17)はブッシュホルダ(18)の凹部(18a)に嵌入され、弾性ブッシュが挿入孔の開口周縁に当接するようにブッシュホルダの固定孔(18c,18c)に固定ピン(19,19)が挿通され、前脚フレーム(２)と後方クロスバー(５)の側面に固定される。またブッシュホルダの凹部の底面には貫通孔(18d)が設けられており、略コの字状の方杖部材(14)の屈曲部は、貫通孔(18d)から弾性ブッシュ(17)を通り、挿入孔に挿入される。
【００３２】
このような方杖部材を、折り畳み式サッカーゴールの背面側に相当する前脚フレーム(２)と後方クロスバー(５)の側面に取り付けることにより、サッカーゴールの正面からボールが方杖部材(14)に当たっても、方杖部材(14)はサッカーゴールの後方に外れるため、衝撃が骨組みに伝わることがなく、骨組みの変形や破損を効果的に防止することができる。
【００３３】
図４に示す態様では、前脚フレーム(２)と後方クロスバー(５)のブッシュホルダ(17)を取り付けた側面と反対側の側面にスペーサ(20)が取り付けられている。このスペーサ(19)は、サッカーゴールの骨組みを折り畳むために、前脚フレーム(あるいは後脚フレーム)を回動した際、前脚フレーム(２)と後脚フレーム(３)、前方クロスバー(４)と後方クロスバー(５)がぶつかり合わないよう所定の空隙を確保するものであり、骨組みどうしの接触を避け、Ｌ字型連結プレートを固定する連結ピンが破損するなどの危険を防止している。
【００３４】
本発明の折り畳み式サッカーゴールは、骨組みを展開した後、骨組みを覆うようにしてネットを取り付けることにより完成する(図１０)。ネットの取り付けは、前方クロスバーと前脚フレームに固定されたフックに、ネットの周縁に配設したロープを連結して行う。図８に示すように、前方クロスバー(４)の上方側面には略等間隔に複数のフック(24)が固定されており、各フック(24)は、前方クロスバーとは直角に相反する方向に湾曲する一対のフック(24a,24b)により形成される。また、図９に示すように、前脚フレーム(２)の先端には、キャップ(22)が取り付けられており、当該キャップの側面には略Ｔ字形状(あるいは略きのこ形状)のフック(21)が突設している。ネットの取り付けは、これらのフックにネット(26)の周縁に配設したロープ(25)を引っ掛けるようにして連結すれば容易に行うことができる。尚、ネットは、着脱することなく骨組みに取り付けておき、ネットを取り付けたまま骨組みを展開あるいは収束して、折り畳み式サッカーゴールを設営し、又は片付けてもよい。
【００３５】
また図９に示すように、前脚フレームや後脚フレームの先端に取り付けたキャップ(23)にはペグ用差し込み孔(23)を設けることが好ましい。軽量な折り畳み式サッカーゴールでも、サッカーゴールを設営した後、ペグ用差し込み孔(23)を通してペグ(杭)を地面に打ち付けることにより、突風や人が当たった場合にも、サッカーゴールが容易に倒れるなどの危険を効果的に防止することができる。
【符号の説明】
【００３６】
１  折り畳み式サッカーゴール
２  前脚フレーム
２ａ  前脚フレーム(左)
２ｂ  前脚フレーム(右)
３  後脚フレーム
３ａ  後脚フレーム(左)
３ｂ  後脚フレーム(右)
４  前方クロスバー
５  後方クロスバー
６  上部材
７  下部材
８  連結プレート
９  連結ピン
１０  Ｌ字型連結プレート
１０ａ  Ｌ字型連結プレート(左)
１０ｂ  Ｌ字型連結プレート(右)
１１  連結ピン
１２  連結ピン
１３  連結ピン
１４  方杖部材
１５  挿入孔
１６  挿入孔
１７  弾性ブッシュ
１８  ブッシュホルダ
１８ａ  凹部
１８ｂ  平板部
１８ｃ  固定孔
１８ｄ  貫通孔
１９  固定ピン
２０  スペーサ
２１  フック
２２  キャップ
２３  ペグ用差し込み孔
２４  フック
２４ａ  フック
２４ｂ  フック
２５  ロープ
２６  ネット
【図１】
2016077434.tif 000003
【図２】
2016077434.tif 000004
【図３】
2016077434.tif 000005
【図４】
2016077434.tif 000006
【図５】
2016077434.tif 000007
【図６】
2016077434.tif 000008
【図７】
2016077434.tif 000009
【図８】
2016077434.tif 000010
【図９】
2016077434.tif 000011
【図１０】
2016077434.tif 000012